(57)【要約】  表示装置は、各々が電気泳動素子を含む複数の画素を有する表示層と、表示層の表示側に設けられ、各画素に対向して複数色のうちのいずれかの色のフィルタ層を有するカラーフィルタとを備え、表示層とカラーフィルタとの間の距離が、表示層における画素ピッチの２５％以下であるものである。
2013145914.tif 000002
【特許請求の範囲】
【請求項１】
各々が電気泳動素子を含む複数の画素を有する表示層と、
前記表示層の表示側に設けられ、各画素に対向して複数色のうちのいずれかの色のフィルタ層を有するカラーフィルタとを備え、
前記表示層と前記カラーフィルタとの間の距離が、前記表示層における画素ピッチの２５％以下である
表示装置。
【請求項２】
前記距離が前記画素ピッチの１７％以下である
請求項１に記載の表示装置。
【請求項３】
前記距離が前記画素ピッチの１０％以下である
請求項２に記載の表示装置。
【請求項４】
前記距離が前記画素ピッチの９％以下である
請求項３に記載の表示装置。
【請求項５】
前記距離が前記画素ピッチの７％以下である
請求項４に記載の表示装置。
【請求項６】
前記距離が前記画素ピッチの１２％以下である
請求項１に記載の表示装置。
【請求項７】
前記複数の画素は、Ｒ（赤），Ｇ（緑），Ｂ（青）の３色の画素を含む
請求項１に記載の表示装置。
【請求項８】
前記複数の画素は、Ｒ（赤），Ｇ（緑），Ｂ（青），Ｗ（白）の４色の画素を含む
請求項１に記載の表示装置。
【請求項９】
前記４色の画素は、１方向に沿って並列されるか、または２×２の領域に配置されている
請求項８に記載の表示装置。
【請求項１０】
前記カラーフィルタの各フィルタ層の中心位置と、前記画素の中心位置との間の位置ずれが前記画素ピッチの１０％以下となっている
請求項１に記載の表示装置。
【請求項１１】
前記表示層は、繊維状構造体により形成された多孔質膜と、絶縁性液体と、複数の電気泳動粒子とを有する
請求項１に記載の表示装置。
【請求項１２】
前記表示層と前記カラーフィルタとの間に、前記表示層の側から順に電極、支持基体および接着層を有する
請求項１に記載の表示装置。
【請求項１３】
各々が電気泳動素子を含む複数の画素を有する表示層と、
前記表示層の表示側に設けられ、各画素に対向して複数色のうちのいずれかの色のフィルタ層を有するカラーフィルタとを備え、
前記表示層と前記カラーフィルタとの間の距離が、前記表示層における画素ピッチの２５％以下である
表示装置を有する電子機器。
【発明の詳細な説明】
【技術分野】
【０００１】
本開示は、電気泳動現象を利用して画像表示を行う表示装置および電子機器に関する。
【背景技術】
【０００２】
近年、携帯電話機または携帯情報端末機器（ＰＤＡ）などの多様な電子機器の普及に伴い、低消費電力で高品位画質の表示装置に関する需要が高まっている。中でも、最近では、電子書籍の配信事業の誕生に伴い、文字情報を長時間読むことを目的とした読書用途の電子書籍端末が注目されているため、その用途に適した表示品位を有する表示装置が望まれている。【０００３】
読書用途としては、コレステリック液晶型、電気泳動型、電気酸化還元型またはツイスボール型などの表示装置が提案されているが、中でも、反射型に分類される表示装置が好ましい。紙と同様に外光の反射（散乱）を利用して明表示するため、その紙に近い表示品位が得られるからである。また、バックライトが不要であるため、消費電力が抑えられるからである。【０００４】
反射型の表示装置の有力候補は、電気泳動現象を利用して明暗（コントラスト）を生じさせる電気泳動型の表示装置である。低消費電力であると共に高速応答性に優れているからである。そこで、電気泳動型の表示装置の表示方法について、さまざまな検討がなされている。【０００５】
具体的には、絶縁性液体中に光学的反射特性および極性が異なる２種類の荷電粒子を分散させて、その極性の違いを利用して各荷電粒子を移動させる方法が提案されている（例えば、特許文献１，２参照。）。この方法では、電界に応じて２種類の荷電粒子の分布が変化するため、光学的反射特性の違いを利用してコントラストが生じる。
【先行技術文献】
【特許文献】
【０００６】
【特許文献１】特公昭５０−０１５１１５号公報
【特許文献２】特許第４１８８０９１号明細書
【発明の概要】
【０００７】
電気泳動型の表示装置では、上記のように反射光のコントラストを利用して表示を行うため、基本的にモノクロ（モノクローム）表示となるが、カラーフィルタを組み合わせることにより、カラー表示を行うことも可能である。カラー表示を行う電子ペーパーディスプレイにおいて、色域の向上等、表示品位の向上が望まれている。
【０００８】
したがって、電気泳動現象を利用しつつカラー表示を行う際の表示品位を向上させることが可能な表示装置および電子機器を提供することが望ましい。
【０００９】
本開示の一実施の形態の表示装置は、各々が電気泳動素子を含む複数の画素を有する表示層と、表示層の表示側に設けられ、各画素に対向して複数色のうちのいずれかの色のフィルタ層を有するカラーフィルタとを備え、表示層とカラーフィルタとの間の距離が、表示層における画素ピッチの２５％以下であるものである。
【００１０】
本開示の一実施の形態の電子機器は、上記本開示の一実施の形態の表示装置を有するものである。
【００１１】
本開示の一実施の形態の表示装置および電子機器では、画素毎に電気泳動素子を含む表示層の表示側に、カラーフィルタが設けられ、カラーフィルタは、表示層の各画素に対向して複数色のうちのいずれかの色のフィルタ層を有している。表示層では、画像表示の際、電気泳動素子における拡散反射光がカラーフィルタを通過することにより、カラー表示がなされる。この際、拡散反射を利用することから、各画素からの出射光の一部が隣接画素（他色の表示光）へ漏れ込み、これによって、色域の低下や視野角による色度変化が生じ易い。カラーフィルタと表示層との間の距離が、画素ピッチの２５％以下であることにより、上記のような色域の低下および視野角による色度変化が抑制される。
【００１２】
具体的には、カラーフィルタおよび表示層間の距離が画素ピッチの２５％以下であることにより、少なくともＧ画素に対するＲ光の漏れ込みに起因する上記色度変化が、効果的に（人間の眼ではほぼ認識できない程度にまで）抑制される。
【００１３】
また、望ましくは、カラーフィルタおよび表示層間の距離が画素ピッチの１７％以下であるとよい。これにより、上記Ｇ画素へのＲ光の漏れ込みに加え、Ｇ画素へのＢ光の漏れ込みに起因する色度変化についても効果的に抑制することができる。より望ましくは、画素ピッチの１０％以下であるとよく、これにより、上記Ｇ画素に対する色度変化に加え、Ｂ画素へのＲ光の漏れ込みに起因する色度変化を効果的に抑制することができる。更に望ましくは、画素ピッチの９％以下であるとよく、これにより、更にＲ画素へのＧ光の漏れ込みに起因する色度変化を効果的に抑制することができる。そして、理想的には、画素ピッチの７％以下であるとよく、これにより、更に、Ｒ画素へのＢ光の漏れ込み、およびＢ画素へのＧ光の漏れ込みに起因する各色度変化を効果的に抑制することができる。即ち、７％以下であることにより、Ｒ，Ｇ，Ｂの３色（またはＲ，Ｇ，Ｂ，Ｗの４色）を用いたカラー表示の際に、画面を斜め方向から観察した場合の色の視認性が、正面から観察した場合と同等となる。
【００１４】
本開示の一実施の形態の表示装置および電子機器によれば、画素毎に電気泳動素子を含む表示層の表示側に、各画素に対向して所定の色のフィルタ層を有するカラーフィルタが設けられ、このカラーフィルタと表示層との間の距離が画素ピッチの２５％以下となっている。これにより、色域の低下および色度の視野角依存を抑制できる。よって、電気泳動現象を利用しつつカラー表示を行う際の表示品位を向上させることが可能となる。
【図面の簡単な説明】
【００１５】
【図１】本開示の一実施形態の表示装置の構成を表す断面図である。
【図２Ａ】画素の色配列の一例を表す模式図である。
【図２Ｂ】画素の色配列の一例を表す模式図である。
【図２Ｃ】画素の色配列の一例を表す模式図である。
【図３】電気泳動素子の一構成例を表す模式図である。
【図４Ａ】図１に示した表示装置の製造方法の工程を表す斜視図である。
【図４Ｂ】図４Ａに続く工程を表す斜視図である。
【図４Ｃ】図４Ｂに続く工程を表す斜視図である。
【図５Ａ】図４Ｃに続く工程を表す斜視図である。
【図５Ｂ】図５Ａに続く工程を表す斜視図である。
【図６】図５Ｂに続く工程を表す斜視図である。
【図７Ａ】図６に続く工程を表す斜視図である。
【図７Ｂ】図７Ａに続く工程を表す斜視図である。
【図８】図７Ｂに続く工程を表す斜視図である。
【図９】図１に示した表示装置の表示動作を説明するための模式図である。
【図１０】隣接画素への表示光の漏れ込みを説明するための模式図である。
【図１１Ａ】図１に示した表示装置の作用を説明するための模式図である。
【図１１Ｂ】比較例（液晶表示装置）の作用を説明するための模式図である。
【図１２】カラーフィルタ２２と表示層３０との間の距離の上限設定の根拠を説明するための模式図である。
【図１３】図１２で用いたカラーフィルタの正面方向透過の場合の色度を表したものである。
【図１４】図１２で用いたカラーフィルタの分光透過率分布を表す特性図である。
【図１５】Ｇ画素に対するＲ光，Ｂ光の漏れ込みによる色度変化を表す特性図である。
【図１６】Ｒ画素に対するＧ光，Ｂ光の漏れ込みによる色度変化を表す特性図である。
【図１７】Ｂ画素に対するＲ光，Ｇ光の漏れ込みによる色度変化を表す特性図である。
【図１８Ａ】表示装置を用いた電子ブックの構成を表す斜視図である。
【図１８Ｂ】表示装置を用いた電子ブックの構成を表す斜視図である。
【図１９】表示装置を用いたテレビジョン装置の構成を表す斜視図である。
【図２０Ａ】表示装置を用いたデジタルスチルカメラの構成を表す斜視図である。
【図２０Ｂ】表示装置を用いたデジタルスチルカメラの構成を表す斜視図である。
【図２１】表示装置を用いたパーソナルコンピュータの外観を表す斜視図である。
【図２２】表示装置を用いたビデオカメラの外観を表す斜視図である。
【図２３】表示装置を用いた携帯電話機の構成を表す図である。
【発明を実施するための形態】
【００１６】
以下、本開示における実施形態について、図面を参照して詳細に説明する。なお、説明する順序は、下記の通りである。
１．実施の形態（表示装置）
１−１．構成
１−２．製造方法
１−３．動作
２．適用例（電子機器）
【００１７】
＜実施の形態＞
［構成］
図１は、本開示の一実施の形態の表示装置（表示装置１）の断面構成を表すものである。表示装置１は、電気泳動現象を利用して画像を表示する表示装置、いわゆる電子ペーパーディスプレイである。この表示装置１は、例えば、スペーサ４０を介して対向配置された駆動基板１０と表示基板２０との間に、電気泳動素子３０ａを含む表示層３０を備えたものである。表示装置１では、複数の画素がマトリクス状に２次元配置されると共に、表示基板２０にカラーフィルタ２２が形成されており、これにより、カラーの画像表示が可能となっている。尚、本実施の形態において、「画素」は、Ｒ，Ｇ，Ｂの３色（またはＲ，Ｇ，Ｂ，Ｗの４色）のいずれかに相当するサブピクセルであり、これらの３色（または４色）のサブピクセルが１つのピクセルを構成している。
【００１８】
（駆動基板１０）
駆動基板１０は、例えば、支持基体１１の一面に、薄膜トランジスタ（ＴＦＴ）１２ａを含むＴＦＴ層１２と、粘着層１４と、画素電極１５とがこの順に積層されたものである。ＴＦＴ１２ａおよび画素電極１５は、例えば、アクティブマトリクス方式の駆動回路を構築するために、画素配置に応じてマトリクス状に分割形成されている。
【００１９】
支持基体１１は、例えば、無機材料、金属材料またはプラスチック材料などのいずれか１種類または２種類以上により形成されている。無機材料は、例えば、ケイ素（Ｓｉ）、酸化ケイ素（ＳｉＯＸ）、窒化ケイ素（ＳｉＮＸ）または酸化アルミニウム（ＡｌＯＸ）などであり、その酸化ケイ素には、例えば、ガラスまたはスピンオングラス（ＳＯＧ）などが含まれる。金属材料は、例えば、アルミニウム（Ａｌ）、ニッケル（Ｎｉ）またはステンレスなどである。プラスチック材料は、例えば、ポリカーボネート（ＰＣ）、ポリエチレンテレフタレート（ＰＥＴ）、ポリエチレンナフタレート（ＰＥＮ）、ポリエチルエーテルケトン（ＰＥＥＫ）、シクロオレフィンポリマー（ＣＯＰ）、ポリイミド（ＰＩ）またはポリエーテルサルフォン（ＰＥＳ）などである。
【００２０】
この支持基体１１は、光透過性であってもよいし、非光透過性であってもよい。また、支持基体１１は、ウェハなどの剛性を有する基板であってもよいし、可撓性を有する薄層ガラスまたはフィルムなどであってもよい。但し、フレキシブル（折り曲げ可能）な電子ペーパーディスプレイを実現できることから、可撓性を有する材料からなることが望ましい。
【００２１】
ＴＦＴ１２ａは、画素を選択するためのスイッチング用素子である。このＴＦＴ１２ａは、例えば、チャネル層（活性層）として、アモルファスシリコン、ポリシリコンまたは酸化物などの無機半導体層を用いた無機ＴＦＴでもよいし、ペンタセンなどの有機半導体層を用いた有機ＴＦＴでもよい。ＴＦＴ層１２では、このＴＦＴ１２ａが、例えば保護層１３によって被覆されている。この保護膜１３上には、更に、例えばポリイミドなどの絶縁性材料からなる平坦化絶縁膜（図示せず）が設けられていてもよい。
【００２２】
粘着層１４は、ＴＦＴ層１２に表示層３０を形成する際に形成されるものであり、例えばアクリル系樹脂、ウレタン系樹脂またはゴムにより構成され、厚みが例えば１μｍ〜１００μｍである。尚、粘着層１４には、導電性を持たせることを目的として、例えばアニオン系添加剤、カチオン系添加剤またはリチウム塩系添加剤等が添加されていてもよい。
【００２３】
画素電極１５は、例えば、金（Ａｕ）、銀（Ａｇ）または銅（Ｃｕ）などの導電性材料のいずれか１種類または２種類以上を含んでいる。この画素電極１５は、ＴＦＴ１２ａに電気的に接続されている。なお、１つの画素電極１５に対して配置されるＴＦＴ１２ａの数は任意であり、１つに限らず、２つ以上でもよい。
【００２４】
（表示基板２０）
表示基板２０は、例えば、透明基体２１の一面側（表示層３０の側）にカラーフィルタ２２、接着層２３、透明基体３５および対向電極３４が、この順に積層されたものである。
【００２５】
透明基体２１は、光透過性であることを除き、支持基体１１と同様の材料により構成されている。表示基板２０の上面側に画像が表示されるため、透明基体２１は光透過性である必要があるからである。この透明基体２１の厚みは、例えば１μｍ〜２５０μｍである。
【００２６】
カラーフィルタ２２は、例えば、各画素に対向して所定の色のフィルタ層（ここでは赤色フィルタ層２２Ｒ，緑色フィルタ層２２Ｇ，青色フィルタ層２２Ｂ）を有している。カラーフィルタ２２におけるフィルタ層の色、数および配置などは任意であるが、その組み合わせの一例について、図２Ａ〜図２Ｃに示す。
【００２７】
図２Ａは、Ｒ（赤），Ｇ（緑），Ｂ（青）の３色を用いてカラー表示を行う場合のカラーフィルタ２２の色配列の一例である。具体的には、図２Ａに示したように、Ｒ，Ｇ，Ｂの各色フィルタ層が、一方向に沿ってライン状に並列配置したもの（単位領域Ｕ１）が用いられる。この場合、このカラーフィルタ２２の単位領域Ｕ１に対応する３画素をサブピクセルとして、１つのピクセルが構成される。
【００２８】
図２Ｂ，図２Ｃは、Ｒ，Ｇ，ＢにＷ（白）を加えた計４色を用いてカラー表示を行う場合のカラーフィルタ２２の色配列の一例である。本実施の形態では、Ｒ，Ｇ，Ｂの３色を用いてカラー表示を行う場合について説明しているが、Ｗを加えた４色を用いるようにしてもよい。この場合、具体的には、図２Ｂに示したように、Ｒ，Ｇ，Ｂの３色のフィルタ領域に加え，Ｗに対応する領域が、２×２の領域（単位領域Ｕ２）に配置されるようにしてもよいし、あるいは図２Ｃに示したように、Ｒ，Ｇ，Ｂ，Ｗの各領域を一方向に沿ってライン状に並列させたもの（単位領域Ｕ３）を用いてもよい。これらのうち、Ｗに対応する領域では、Ｒ，Ｇ，Ｂの各領域と異なり、カラーフィルタ層が設けられておらず、モノクロ表示がなされるようになっている。このような場合、カラーフィルタ２２の単位領域Ｕ２，Ｕ３のそれぞれに対応する４画素をサブピクセルとして、１つのピクセルが構成される。
【００２９】
なお、カラーフィルタ２２は、透明基体２１の一面に直接描画されていてもよいし、接着剤などを介して透明基体２１に固定されていてもよい。また、赤色フィルタ層２２Ｒ，緑色フィルタ層２２Ｇ，青色フィルタ層２２Ｂの各中心位置と各画素（画素電極１５）の中心位置とは、できるだけ一致していることが望ましい。具体的には、各フィルタ層の中心位置と画素電極１５の中心位置とのずれが画素ピッチ（Ｄｂ）の１０％以内となるように、アライメントがなされていることが望ましい。
【００３０】
接着層２３は、カラーフィルタ２２と透明基体３５との貼り合わせのために形成される層であり、光透過性を有する紫外線（ＵＶ）硬化樹脂等により構成されている。このような樹脂材料としては、例えばアクリル系樹脂、エポキシ系樹脂およびポリエステル系樹脂等が挙げられる。接着層２３の厚みは、例えば０．１μｍ〜５０μｍである。
【００３１】
透明基体３５は、光透過性であることを除き、支持基体１１と同様の材料により構成され、フレキシブル性を有していてもよいし、剛性を有していてもよい。表示基板２０側に画像が表示されるため、透明基体３５は光透過性である必要があるからである。この透明基体３５の厚みは、例えば０．１μｍ〜１２５μｍであり、後述する画素ピッチＤｂに応じて適切な値に設定されればよい。
【００３２】
対向電極３４は、例えば、透光性を有する導電性材料（透明導電膜材料）のいずれか１種類または２種類以上を含んでいる。このような導電性材料としては、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）などが挙げられる。この対向電極３４の厚みは、例えば０．００１μｍ〜１μｍである。尚、対向電極３４は、例えば、透明基体３５の一面に全面形成されているが、画素電極１５と同様に分割形成されていてもよい。
【００３３】
表示基板２０側に画像を表示する場合には、対向電極３４を介して電気泳動素子３０ａを見ることになるため、その対向電極３４の光透過率はできるだけ高いことが好ましく、例えば、８０％以上である。また、対向電極３４の電気抵抗は、できるだけ低いことが好ましく、例えば、１００Ω／□（スクエア）以下である。
【００３４】
ここで、本実施の形態では、上記表示基板２０において、カラーフィルタ２２と表示層３０との間の距離（Ｄａ）が、画素ピッチＤｂの２５％以下となるように設定されている。また、詳細は後述するが、望ましくは１７％以下、より望ましくは１０％以下、更に望ましくは９％以下であるとよい。但し、距離Ｄａが画素ピッチＤｂの７％以下に設定されることが理想的であり、この距離Ｄａの最適化によって、Ｒ，Ｇ，Ｂの３色（またはＲ，Ｇ，Ｂ，Ｗの４色）を用いてカラー表示を行う場合に、各色光の隣接画素への漏れ込みによる視認性の低下を効果的に抑制することができる。あるいは、距離Ｄａは、画素ピッチＤｂの１２％未満となるように設定されていてもよい。
【００３５】
表示基板２０では、上記のような距離Ｄａに設定されるように、表示層３０とカラーフィルタ２２との間の各層の厚みが、画素ピッチＤｂに応じて、適切に設定されている。
【００３６】
尚、画素ピッチＤｂは、画素（サブピクセル）の幅あるいは配列周期に相当するものであり、具体的には、互いに隣接する画素電極１５の各中心位置間の距離に相当する。この画素ピッチＤｂは、例えば１μｍ〜１５００μｍであり、望ましくは１００μｍ〜２００μｍであるが、特にこれらの範囲の値に限定されるものではない。
【００３７】
（表示層３０）
表示層３０は、例えば画素毎に電圧制御される電気泳動素子３０ａを含んでいる。電気泳動素子３０ａは、電気泳動現象を利用してコントラストを生じさせるものであり、電界に応じて画素電極１５と対向電極３４との間を移動可能な電気泳動粒子３２を含んでいる。詳細には、電気泳動素子３０ａは、例えば、絶縁性液体３１中に、電気泳動粒子３２と共に多孔質層３３を含んでいる。尚、ここでは、電気泳動素子３０ａを構成する絶縁性液体３１および多孔質層３３は、各画素に共通して設けられている。
【００３８】
絶縁性液体３１は、例えば、有機溶媒などの非水溶媒のいずれか１種類または２種類以上であり、具体的には、パラフィンまたはイソパラフィンなどを含んで構成されている。この絶縁性液体３１の粘度および屈折率は、できるだけ低いことが好ましい。電気泳動粒子３２の移動性（応答速度）が向上すると共に、それに応じて電気泳動粒子３２の移動に要するエネルギー（消費電力）が低くなるからである。また、絶縁性液体３１の屈折率と多孔質層３３の屈折率との差が大きくなるため、その多孔質層３３の光反射率が高くなるからである。尚、この絶縁性液体３１の代わりに、微弱導電性液体が用いられてもよい。
【００３９】
なお、絶縁性液体３１は、必要に応じて、各種材料を含んでいてもよい。この材料は、例えば、着色剤、電荷制御剤、分散安定剤、粘度調製剤、界面活性剤または樹脂などである。
【００４０】
電気泳動粒子３２は、電気的に移動可能な１または２以上の荷電粒子であり、絶縁性液体３１中に分散されている。この電気泳動粒子３２は、絶縁性液体３１中で画素電極１５と対向電極３４との間を移動可能になっている。電気泳動粒子３２は、例えば、有機顔料、無機顔料、染料、炭素材料、金属材料、金属酸化物、ガラスまたは高分子材料（樹脂）などのいずれか１種類または２種類以上の粒子（粉末）である。なお、電気泳動粒子３２は、上記した粒子を含む樹脂固形分の粉砕粒子またはカプセル粒子などでもよい。ただし、炭素材料、金属材料、金属酸化物、ガラスまたは高分子材料に該当する材料は、有機顔料、無機顔料または染料に該当する材料から除かれることとする。
【００４１】
有機顔料は、例えば、アゾ系顔料、メタルコンプレックスアゾ系顔料、ポリ縮合アゾ系顔料、フラバンスロン系顔料、ベンズイミダゾロン系顔料、フタロシアニン系顔料、キナクリドン系顔料、アントラキノン系顔料、ペリレン系顔料、ペリノン系顔料、アントラピリジン系顔料、ピランスロン系顔料、ジオキサジン系顔料、チオインジゴ系顔料、イソインドリノン系顔料、キノフタロン系顔料またはインダンスレン系顔料などである。無機顔料は、例えば、亜鉛華、アンチモン白、カーボンブラック、鉄黒、硼化チタン、ベンガラ、マピコエロー、鉛丹、カドミウムエロー、硫化亜鉛、リトポン、硫化バリウム、セレン化カドミウム、炭酸カルシウム、硫酸バリウム、クロム酸鉛、硫酸鉛、炭酸バリウム、鉛白またはアルミナホワイトなどである。染料は、例えば、ニグロシン系染料、アゾ系染料、フタロシアニン系染料、キノフタロン系染料、アントラキノン系染料またはメチン系染料などである。炭素材料は、例えば、カーボンブラックなどである。金属材料は、例えば、金、銀または銅などである。金属酸化物は、例えば、酸化チタン、酸化亜鉛、酸化ジルコニウム、チタン酸バリウム、チタン酸カリウム、銅−クロム酸化物、銅−マンガン酸化物、銅−鉄−マンガン酸化物、銅−クロム−マンガン酸化物または銅−鉄−クロム酸化物などである。高分子材料は、例えば、可視光領域に光吸収域を有する官能基が導入された高分子化合物などである。このように可視光領域に光吸収域を有する高分子化合物であれば、その種類は特に限定されない。
【００４２】
絶縁性液体３１中における電気泳動粒子３２の含有量（濃度）は、特に限定されないが、例えば、０．１重量％〜１０重量％である。電気泳動粒子３２の遮蔽（隠蔽）性および移動性が確保されるからである。この場合には、０．１重量％よりも少ないと、電気泳動粒子３２が多孔質層３３を遮蔽しにくくなる可能性がある。一方、１０重量％よりも多いと、電気泳動粒子３２の分散性が低下するため、その電気泳動粒子３２が泳動しにくくなり、場合によっては凝集する可能性がある。
【００４３】
この電気泳動粒子３２は、また、任意の光学的反射特性（光反射率）を有している。電気泳動粒子３２の光反射率は、特に限定されないが、少なくとも電気泳動粒子３２が多孔質層３３を遮蔽可能となるように設定されることが好ましい。電気泳動粒子３２の光反射率と多孔質層３３の光反射率との違いを利用してコントラストを生じさせるためである。
【００４４】
電気泳動粒子３２の具体的な形成材料は、例えば、コントラストを生じさせるために電気泳動粒子３２が担う役割に応じて選択される。例えば、電気泳動粒子３２により明表示（白表示）される場合の材料は、例えば、酸化チタン、酸化亜鉛、酸化ジルコニウム、チタン酸バリウムまたはチタン酸カリウムなどの金属酸化物であり、中でも、酸化チタンが好ましい。電気化学的安定性および分散性などに優れていると共に、高い反射率が得られるからである。一方、電気泳動粒子３２により暗表示（黒表示）される場合の材料は、例えば、炭素材料または金属酸化物などである。炭素材料は、例えば、カーボンブラックなどであり、金属酸化物は、例えば、銅−クロム酸化物、銅−マンガン酸化物、銅−鉄−マンガン酸化物、銅−クロム−マンガン酸化物または銅−鉄−クロム酸化物などである。中でも、炭素材料が好ましい。優れた化学的安定性、移動性および光吸収性が得られるからである。
【００４５】
電気泳動粒子３２により明表示される場合、外部から視認される電気泳動粒子３２の色は、コントラストを生じさせることができれば特に限定されないが、中でも、白色に近い色が好ましく、白色がより好ましい。一方、電気泳動粒子３２により暗表示される場合、外部から視認される電気泳動粒子３２の色は、コントラストを生じさせることができれば特に限定されないが、中でも、黒色に近い色が好ましく、黒色がより好ましい。いずれの場合でも、コントラストが高くなるからである。
【００４６】
なお、電気泳動粒子３２は、絶縁性液体３１中で長期間に渡って分散および帯電しやすいと共に多孔質層３３に吸着しにくいことが好ましい。このため、静電反発により電気泳動粒子３２を分散させるために分散剤（または電荷調整剤）を用いたり、電気泳動粒子３２に表面処理を施してもよく、両者を併用してもよい。
【００４７】
分散剤は、例えば、Lubrizol社製のSolsperse シリーズ、BYK-Chemie社製のBYK シリーズまたはAnti-Terra シリーズ、あるいはICI Americas 社製Spanシリーズなどである。
【００４８】
表面処理は、例えば、ロジン処理、界面活性剤処理、顔料誘導体処理、カップリング剤処理、グラフト重合処理またはマイクロカプセル化処理などである。中でも、グラフト重合処理、マイクロカプセル化処理またはそれらの組み合わせが好ましい。長期間の分散安定性などが得られるからである。
【００４９】
表面処理用の材料は、例えば、電気泳動粒子３２の表面に吸着可能な官能基と重合性官能基とを有する材料（吸着性材料）などである。吸着可能な官能基の種類は、電気泳動粒子３２の形成材料に応じて決定される。一例を挙げると、カーボンブラックなどの炭素材料に対しては４−ビニルアニリンなどのアニリン誘導体であり、金属酸化物に対してはメタクリル酸３−（トリメトキシシリル）プロピルなどのオルガノシラン誘導体である。重合性官能基は、例えば、ビニル基、アクリル基、メタクリル基などである。
【００５０】
また、表面処理用の材料は、例えば、重合性官能基が導入された電気泳動粒子３２の表面にグラフト可能な材料（グラフト性材料）である。このグラフト性材料は、重合性官能基と、絶縁性液体３１中に分散可能であると共に立体障害により分散性を保持可能な分散用官能基とを有していることが好ましい。重合性官能基の種類は、吸着性材料について説明した場合と同様である。分散用官能基は、例えば、絶縁性液体３１がパラフィンである場合には分岐状のアルキル基などである。グラフト性材料を重合およびグラフトさせるためには、例えば、アゾビスイソブチロニトリル（ＡＩＢＮ）などの重合開始剤を用いればよい。
【００５１】
参考までに、上記したように絶縁性液体３１中に電気泳動粒子３２を分散させる方法の詳細については、「超微粒子の分散技術とその評価〜表面処理・微粉砕と気中／液中／高分子中の分散安定化〜（サイエンス＆テクノロジー社）」などの書籍に掲載されている。
【００５２】
多孔質層３３は、例えば、図３に示したように、繊維状構造体３３１により形成された３次元立体構造物（不織布のような不規則なネットワーク構造物）である。この多孔質層３３は、繊維状構造体３３１が存在していない箇所に、電気泳動粒子３２が通過するための複数の隙間（細孔Ｈ）を有している。なお、図１では、多孔質層３３の図示を簡略化している。
【００５３】
繊維状構造体３３１には、１または２以上の非泳動粒子３３２が含まれており、その非泳動粒子３３２は、繊維状構造体３３１により保持されている。３次元立体構造物である多孔質層３３では、１本の繊維状構造体３３１がランダムに絡み合っていてもよいし、複数本の繊維状構造体３３１が集合してランダムに重なっていてもよいし、両者が混在していてもよい。繊維状構造体３３１が複数本である場合、各繊維状構造体３３１は、１または２以上の非泳動粒子３３２を保持していることが好ましい。なお、図３では、複数本の繊維状構造体３３１により多孔質層３３が形成されている場合を示している。
【００５４】
多孔質層３３が３次元立体構造物であるのは、その不規則な立体構造により外光が乱反射（多重散乱）されやすいため、多孔質層３３の光反射率が高くなると共に、その高い光反射率を得るために多孔質層３３が薄くて済むからである。これにより、コントラストが高くなると共に、電気泳動粒子３２を移動させるために必要なエネルギーが低くなる。また、細孔Ｈの平均孔径が大きくなると共にその数が多くなるため、電気泳動粒子３２が細孔Ｈを通過しやすくなるからである。これにより、電気泳動粒子３２の移動に要する時間が短くなると共に、その電気泳動粒子３２の移動に要するエネルギーも低くなる。
【００５５】
繊維状構造体３３１に非泳動粒子３３２が含まれているのは、外光がより乱反射しやすくなるため、多孔質層３３の光反射率がより高くなるからである。これにより、コントラストがより高くなる。
【００５６】
繊維状構造体３３１は、繊維径（直径）に対して長さが十分に大きい繊維状物質である。この繊維状構造体３３１は、例えば、高分子材料または無機材料などのいずれか１種類または２種類以上を含んでおり、他の材料を含んでいてもよい。高分子材料は、例えば、ナイロン、ポリ乳酸、ポリアミド、ポリイミド、ポリエチレンテレフタレート、ポリアクリロニトリル、ポリエチレンオキシド、ポリビニルカルバゾール、ポリビニルクロライド、ポリウレタン、ポリスチレン、ポリビニルアルコール、ポリサルフォン、ポリビニルピロリドン、ポリビニリデンフロリド、ポリヘキサフルオロプロピレン、セルロースアセテート、コラーゲン、ゼラチン、キトサンまたはそれらのコポリマーなどである。無機材料は、例えば、酸化チタンなどである。中でも、繊維状構造体３３１の形成材料としては、高分子材料が好ましい。反応性（光反応性など）が低い（化学的に安定である）ため、繊維状構造体３３１の意図しない分解反応が抑制されるからである。なお、繊維状構造体３３１が高反応性の材料により形成されている場合には、その繊維状構造体３３１の表面は任意の保護層により被覆されていることが好ましい。
【００５７】
繊維状構造体３３１の形状（外観）は、上記したように繊維径に対して長さが十分に大きい繊維状であれば、特に限定されない。具体的には、直線状でもよいし、縮れていたり、途中で折れ曲がっていてもよい。また、一方向に延在しているだけに限らず、途中で１または２以上の方向に分岐していてもよい。この繊維状構造体３３１の形成方法は、特に限定されないが、例えば、相分離法、相反転法、静電（電界）紡糸法、溶融紡糸法、湿式紡糸法、乾式紡糸法、ゲル紡糸法、ゾルゲル法またはスプレー塗布法などであることが好ましい。繊維径に対して長さが十分に大きい繊維状物質を容易かつ安定に形成しやすいからである。
【００５８】
繊維状構造体３３１の平均繊維径は、特に限定されないが、できるだけ小さいことが好ましい。光が乱反射しやすくなると共に、細孔Ｈの平均孔径が大きくなるからである。ただし、平均繊維径は、繊維状構造体３３１が非泳動粒子３３２を保持できるように決定される必要がある。このため、繊維状構造体３３１の平均繊維径は、１０μｍ以下であることが好ましい。なお、平均繊維径の下限は、特に限定されないが、例えば、０．１μｍであり、それ以下でもよい。この平均繊維径は、例えば、走査型電子顕微鏡（ＳＥＭ）などを用いた顕微鏡観察により測定される。なお、繊維状構造体３３１の平均長さは、任意でよい。
【００５９】
細孔Ｈの平均孔径は、特に限定されないが、中でも、できるだけ大きいことが好ましい。電気泳動粒子３２が細孔Ｈを通過しやすくなるからである。このため、細孔Ｈの平均孔径は、０．１μｍ〜１０μｍであることが好ましい。
【００６０】
多孔質層３３の厚さは、特に限定されないが、例えば、５μｍ〜１００μｍである。多孔質層３３の遮蔽性が高くなると共に、電気泳動粒子３２が細孔Ｈを通過しやすくなるからである。
【００６１】
特に、繊維状構造体３３１は、ナノファイバーであることが好ましい。立体構造が複雑化して外光が乱反射しやすくなるため、多孔質層３３の光反射率がより高くなると共に、多孔質層３３の単位体積中に占める細孔Ｈの体積の割合が大きくなるため、電気泳動粒子３２が細孔Ｈを通過しやすくなるからである。これにより、コントラストがより高くなると共に、電気泳動粒子３２の移動に要するエネルギーがより低くなる。ナノファイバーとは、繊維径が０．００１μｍ〜０．１μｍであると共に長さが繊維径の１００倍以上である繊維状物質である。ナノファイバーである繊維状構造体３３１は、高分子材料を用いて静電紡糸法により形成されていることが好ましい。繊維径が小さい繊維状構造体３３１を容易かつ安定に形成しやすいからである。
【００６２】
この繊維状構造体３３１は、電気泳動粒子３２とは異なる光学的反射特性を有していることが好ましい。具体的には、繊維状構造体３３１の光反射率は、特に限定されないが、少なくとも多孔質層３３が全体として電気泳動粒子３２を遮蔽可能となるように設定されることが好ましい。上記したように、電気泳動粒子３２の光反射率と多孔質層３３の光反射率との違いを利用してコントラストを生じさせるためである。このため、繊維状構造体３３１は、絶縁性液体３１中で光透過性を有する（無色透明である）よりも光反射性を有する方が好ましい。ただし、繊維状構造体３３１の光反射率が多孔質層３３全体の光反射率にほとんど影響を及ぼさず、その多孔質層３３全体の光反射率が実質的に非泳動粒子３３２の光反射率により決定される場合には、繊維状構造体３３１の光反射率は任意でよい。
【００６３】
非泳動粒子３３２は、繊維状構造体３３１に固定されており、電気的に泳動しない粒子である。この非泳動粒子３３２の形成材料は、例えば、電気泳動粒子３２の形成材料と同様であり、後述するように、非泳動粒子３３２が担う役割に応じて選択される。
【００６４】
なお、非泳動粒子３３２は、繊維状構造体３３１により保持されていれば、繊維状構造体３３１から部分的に露出していてもよいし、その内部に埋設されていてもよい。
【００６５】
この非泳動粒子３３２は、電気泳動粒子３２とは異なる光学的反射特性を有している。非泳動粒子３３２の光反射率は、特に限定されないが、少なくとも多孔質層３３が全体として電気泳動粒子３２を遮蔽可能となるように設定されることが好ましい。上記したように、電気泳動粒子３２の光反射率と多孔質層３３の光反射率との違いを利用してコントラストを生じさせるためである。
【００６６】
ここで、非泳動粒子３３２の具体的な形成材料は、例えば、コントラストを生じさせるために非泳動粒子３３２が担う役割に応じて選択される。具体的には、非泳動粒子３３２により明表示される場合の材料は、明表示される場合に選択される電気泳動粒子３２の材料と同様である。一方、非泳動粒子３３２により暗表示される場合の材料は、暗表示される場合に選択される電気泳動粒子３２の材料と同様である。中でも、非泳動粒子３３２により明表示される場合に選択される材料としては、金属酸化物が好ましく、酸化チタンがより好ましい。電気化学的安定性および定着性などに優れていると共に、高い反射率が得られるからである。コントラストを生じさせることができれば、非泳動粒子３３２の形成材料は、電気泳動粒子３２の形成材料と同じ種類でもよいし、違う種類でもよい。
【００６７】
なお、非泳動粒子３３２により明表示または暗表示される場合に視認される色は、電気泳動粒子３２が視認される色について説明した場合と同様である。
【００６８】
多孔質層３３の形成手順の一例は、以下の通りである。最初に、有機溶剤などに繊維状構造体３３１の形成材料（例えば高分子材料など）を分散または溶解させて、紡糸溶液を調製する。続いて、紡糸溶液に非泳動粒子３３２を加えたのち、十分に攪拌して非泳動粒子３３２を紡糸溶液中に分散させる。最後に、紡糸溶液を用いた静電紡糸法により紡糸を行う。これにより、繊維状構造体３３１により非泳動粒子３３２が保持されるため、多孔質層３３が形成される。
【００６９】
スペーサ４０は、例えば、高分子材料などの絶縁性材料を含んでいる。ただし、スペーサ４０の構成は、特に限定されず、微粒子が混入されたシール材などでもよい。
【００７０】
スペーサ４０の形状は、特に限定はされないが、電気泳動粒子３２の画素電極１５および対向電極３４間の移動を妨げないと共にそれを均一分布させることができる形状であることが好ましく、例えば、格子状である。また、スペーサ４０の厚さは、特に限定されないが、中でも、消費電力を低くするためにできるだけ薄いことが好ましく、例えば、１０μｍ〜１００μｍである。なお、図１では、スペーサ４０の構成を簡略化して示している。
【００７１】
［電気泳動素子の好ましい表示方法］
この電気泳動素子３０ａでは、上記したように、電気泳動粒子３２の光反射率と多孔質層３３の光反射率との違いを利用してコントラストが生じる。この場合には、電気泳動粒子３２により明表示されると共に多孔質層３３により暗表示されてもよいし、その逆でもよい。このような役割の違いは、電気泳動粒子３２の光反射率と多孔質層３３の光反射率との大小関係により決定される。すなわち、明表示される方の光反射率は、暗表示される方の光反射率よりも高くなるように設定される。
【００７２】
中でも、多孔質層３３の光反射率が電気泳動粒子３２の光反射率よりも高いため、電気泳動粒子３２により暗表示されると共に多孔質層３３により明表示されることが好ましい。これに伴い、多孔質層３３の光反射率が非泳動粒子３３２の光反射率に応じて決まる場合には、非泳動粒子３３２の光反射率は電気泳動粒子３２の光反射率よりも高いことが好ましい。多孔質層３３による外光の乱反射を利用して明表示の光反射率が著しく高くなるため、それに応じてコントラストも著しく高くなるからである。
【００７３】
尚、駆動基板１０には、上記電気泳動素子３０ａを画素毎に駆動する（画素電極１５および対向電極３４間に駆動電圧を印加する）ための周辺回路（図示せず）が設けられている。周辺回路は、例えば、アクティブマトリクス方式の駆動回路を形成するための電圧制御用のドライバ、電源およびメモリなどを含んでおり、１または２以上の選択的な画素に対して、画像信号に対応する駆動電圧を印加可能となっている。
【００７４】
［製造方法（カラーフィルタ実装方法）］
上記のような表示装置１では、製造プロセスにおいて、カラーフィルタは、モノクロ表示体（表示体１０Ａ）に直接描画されてもよいし、あるいはモノクロ表示体と別のモジュールとして作製後、それぞれを接着層２３によって貼り合わせるようにしてもよい。ここでは、カラーフィルタとモノクロ表示体とを別モジュールとして作製する場合を例に挙げて説明する。尚、ここでの表示体１０Ａは、上述した表示装置１の積層構造のうち、駆動基板１０（支持基体１１、ＴＦＴ層１２（ＴＦＴ１２ａ，保護層１３）および画素電極１５）、粘着層１４、表示層３０、対向電極３４および透明基体３５からなる積層体に相当する。図４〜図８に、カラーフィルタ２２の形成と、このカラーフィルタ２２の表示体１０Ａへの貼り合わせの工程について順に示す。
【００７５】
まず、図４Ａに示したように、表示層３０（画素エリア）よりも広い平面積を有するガラス板２０１を用意し、このガラス板２０１の所定の位置にアライメントマーク２０１ａを形成する。アライメントマーク２０１ａは、例えば、黒色の顔料または染料を含有するフォトレジスト（いわゆるブラックレジスト）を用いて形成することができる。尚、このガラス板２０１は、詳細は後述するが、カラーフィルタ２２と表示体１０Ａとを貼り合わせるための支持部材であり、貼り合わせの後、剥離される。
【００７６】
続いて、図４Ｂに示したように、ガラス板２０１の一面（アライメントマーク２０１ａが形成されている面）に透明基体２１を接着することにより、ガラス板２０１に透明基体２１を仮固定する。この際、具体的には、ガラス板２０１上に、例えばＵＶ発泡タイプの粘着材または熱発泡タイプの粘着材を、例えばスピンコータ、バーコータ、グラビア印刷機、スリットコータ等により塗布した後、フィルム状の透明基体２１をローラにより貼り合わせる。あるいは、ガラス板２０１上に、フィルム状のＵＶ発泡タイプの粘着シートまたは熱発泡タイプの粘着シートをローラにより貼り合わせた後、透明基体２１をローラによって貼り合わせるようにしてもよい。
【００７７】
次いで、図４Ｃに示したように、透明基体２１上にカラーフィルタ２２を形成する。具体的には、透明基体２１上の選択的な領域（表示層３０に対面する領域）に、例えばＲ，Ｇ，Ｂの各色のフィルタ層をパターニングする。尚、この際、Ｒ，Ｇ，Ｂ，Ｗの４画素構成とする場合には、Ｒ，Ｇ，Ｂの画素領域にのみフィルタ層を形成し、Ｗの画素領域にはフィルタ層を形成しないでよい。
【００７８】
続いて、図５Ａに示したように、透明基体２１のうちのカラーフィルタ２２が形成されていない部分（外周部分）を、カットして除去する。これは、後述の工程において、カラーフィルタ２２と表示体１０Ａとを貼り合わせた後、透明基体２１がＴＦＴの電極エリアにはみ出さないようにするためである。
【００７９】
次いで、図５Ｂに示したように、カラーフィルタ２２上に、例えばＵＶ硬化性の接着剤２３ａを塗布する。
【００８０】
続いて、カラーフィルタ２２を表示体１０Ａに貼り合わせる。具体的には、まず、図６に示したように、ガラス板２０１に支持されたカラーフィルタ２２を、接着剤２３ａを間にして、表示体１０Ａの上面（透明基体３５）に向かい合わせて配置する。尚、表示体１０Ａの駆動基板１０（詳細には、支持基体１１）には、上述のアライメントマーク２０１ａと係合するアライメントマーク２０１ｂを予め形成しておく。この後、それぞれのアライメントマーク２０１ａ，２０１ｂを、カメラ２０２によりモニタリングしながらアライメントを行い、カラーフィルタ２２と表示体１０Ａとを重ね合わせ、プレスする。
【００８１】
次いで、図７Ａに示したように、表示体１０Ａ上にカラーフィルタ２２を仮固定する。具体的には、接着剤２３ａを介して重ね合わせられた表示体１０Ａおよびカラーフィルタ２２に対し、紫外線ＵＶを選択的な領域（ここではカラーフィルタ２２の四隅）にのみに照射し、その部分の接着剤２３ａを硬化させる。
【００８２】
続いて、図７Ｂに示したように、仮固定された表示体１０Ａおよびカラーフィルタ２２の全面に、紫外線ＵＶを照射することにより、接着剤２３ａの全域を硬化させる。これにより、カラーフィルタ２２が接着層２３を介して表示体１０Ａに貼り合わせられる。
【００８３】
最後に、図８に示したように、ガラス板２０１を剥離することにより、図１に示した表示装置１を完成する。
【００８４】
［作用、効果］
（カラー表示動作）
次に、表示装置１の動作について説明する。図９〜図１１は、表示装置１の動作を説明するためのものである。ここでは、例えば、電気泳動粒子３２により暗表示（黒表示）されると共に、多孔質層３３により明表示（白表示）される場合を例に挙げる。
【００８５】
本実施の形態の表示装置１では、電気泳動素子３０ａを含む複数の画素が、駆動基板１０上に例えばマトリクス状（行×列）に配列されており、これら複数の画素のそれぞれにカラーフィルタ２２のうちのいずれかの色のフィルタ層が対向して設けられている。以下の説明では、赤色フィルタ層２２Ｒに対向する領域をＲ画素（画素Ｐｒ）、緑色フィルタ層２２Ｇに対向する領域をＧ画素（画素Ｐｇ）、青色フィルタ層２２Ｂに対向する領域をＢ画素（画素Ｐｂ）とする。但し、画素Ｐｒ，Ｐｇ，Ｐｂの区別（Ｒ，Ｇ，Ｂの区別）が特に不要な場合には、単に「画素」として説明する。
【００８６】
まず、例えば初期状態（表示層３０の全域に対して電圧無印加の状態）として、全画素において電気泳動粒子３２が画素電極１５側または対向電極３４側に局在する場合について説明する。ここでは、電気泳動粒子３２が、画素電極１５側（多孔質膜３３と画素電極１５との間の領域）に局在し、表示層３０では、多孔質層３３によって電気泳動粒子３２が遮蔽される。このため、表示層３０では、外光が入射しても、電気泳動粒子３２の光反射率よりも多孔質層３３の光反射率が支配的となり、表示層３０全体では明表示となる。また、この状態では、画素間において明暗のコントラストが生じないため、画像は表示されない。
【００８７】
続いて、画像信号に基づいて、選択された画素に所定の駆動電圧が印加されると、選択された画素では、表示層３０に電界が生じ、電気泳動粒子３２が画素電極１５側から対向電極３４へ向かって移動する。これにより、画素毎に、絶縁性液体中における電気泳動粒子３２と多孔質層３３との層状態が変化し、光反射率が変化する。即ち、画素間の反射光量（出射光量）差によるコントラストが生じ、画像が形成される。尚、このとき、各画素へ印加される駆動電圧の大きさや印加時間等の制御により、電気泳動粒子３２の移動量が制御され、これにより各諧調を表現することが可能である。
【００８８】
多孔質層３３により反射された外光（白色光）は、表示層３０を出射した後、カラーフィルタ２２のうちの対応する色のフィルタ層（赤色フィルタ層２２Ｒ，緑色フィルタ層２２Ｇ，青色フィルタ層２２Ｂのいずれか）を透過する。これにより、各画素では、特定波長の光が表示基板２０を経由して外部に放出される。例えば、画素Ｐｒでは、表示層３０から出射された光は、赤色フィルタ層２２Ｒを透過することにより赤色光として外部へ放出される。同様に、画素Ｐｇでは、表示層３０からの出射光は、緑色フィルタ層２２Ｇを透過することにより緑色光として、画素Ｐｂでは、表示層３０からの出射光は、青色フィルタ層２２Ｂを透過することにより青色光として、それぞれ外部へ放出される。また、ここでは図示はしないが、白色画素（画素Ｐｗ）が設けられている場合には、カラーフィルタが存在しないため、表示層３０からの出射光（多孔質層３３における反射光）そのものが白色光として外部へ放出される。
【００８９】
その一例を、図９に模式的に示す。図９の例では、画素Ｐｒ，Ｐｇにおいて表示層３０が明表示状態に駆動され、画素Ｐｂが暗表示状態に駆動されている。具体的には、画素Ｐｇでは、画素電極１５側に局在した電気泳動粒子３２が多孔質層３３により遮蔽されるため、多孔質層３３において入射光（外光）Ｌinが反射され、この反射光が緑色フィルタ層２２Ｇを透過して、緑色光Ｌｇが放出されている。画素Ｐｒについても同様で、多孔質層３３における反射光が赤色フィルタ層２２Ｒを透過して、赤色光Ｌｒが放出されている。一方、画素Ｐｂでは、電気泳動粒子３２が対向電極３４側に局在しており、入射光Ｌinは電気泳動粒子３２において、多孔質層３３よりも低い反射率で反射されるか、または吸収され、表示基板２０上にはほとんど放出されない。尚、この例では、簡便化のために電気泳動粒子３２が、各画素において、画素電極１５側または対向電極３４側のどちらか一方にのみ局在している場合を示しているが、白色と黒色の間の階調を表現する場合等には、画素電極１５側と対向電極３４側の双方に電気泳動粒子３２が存在していてもよいし、その分布に偏りがあってもよい。
【００９０】
このような動作状態にある表示装置１を、表示基板２０側から観察すると、明表示状態の画素と暗表示状態の画素とが共存すると共に、画素Ｐｒ，Ｐｇ，Ｐｂから生じた各色光の合成光が視認される。このため、表示装置１全体では、画素Ｐｒ，Ｐｇ，Ｐｂ（サブピクセル）の合成光によるピクセル毎の表示色の違いを利用してコントラストが生じると共に、加法混色により色調が決定される。このように、画素Ｐｒ，Ｐｇ，Ｐｂからなるピクセル毎に表示色が切り換えられ、カラー表示がなされる。
【００９１】
（色域低下、色度の視野角依存について）
上記のように、表示装置１では、表示層３０の光反射率を画素毎に制御し、反射光のコントラストを利用して画像（モノクロ画像）を形成すると共に、その画像（光）をカラーフィルタ２２を介して表示することにより、カラーの画像表示を実現する。
【００９２】
ところが、表示層３０に電気泳動素子３０ａを用いた場合、上述のように反射光を利用することから、例えば次のような現象が生じる。即ち、多孔質層３３における光反射は、拡散反射であるため、等方的に拡散した反射光の一部が、隣接画素の表示域へ漏れ込む。例えば、図１０に示したように、互いに隣接する画素Ｐｇ，Ｐｂにおいて、画素Ｐｇにおいて明表示、画素Ｐｂにおいて暗表示がなされている場合、画素Ｐｇの表示層３０からの出射光のうち、正面方向（表示面に垂直な方向、視野角０°）から、所定の角度傾いた方向（任意の視野角）に放出された光（緑色光Ｌgb）は、隣接する画素Ｐｂへ漏れ込む。このように、暗表示がなされている画素への光の漏れ込みが生じると、色域が低下したり、視野角変化に伴って色度変化が生じたりする。
【００９３】
ここで、上述のような光反射に起因する色域低下や、色度の視野角依存は、いわゆる反射型の液晶ディスプレイにおいても生じ得るが、この反射型液晶ディスプレイでは、以下の理由から、電子ペーパーディスプレイの場合と異なっている。図１１Ａに、本実施の形態の表示装置１の断面構成（概略構成）、図１１Ｂに、反射型液晶ディスプレイ（表示装置１００）の断面構成について模式的に示す。表示装置１００では、支持基体１０２上に、画素電極（反射電極）１０３、配向膜１０４、液晶層ＬＣ、配向膜１０５、対向電極１０６およびカラーフィルタ層１０７をこの順に備えている。カラーフィルタ層１０７は、透明基体１０７ａの一面に、Ｒ，Ｇ，Ｂの各色フィルタを有するカラーフィルタ１０７ｂが形成されたものであり、このカラーフィルタ１０７ｂがオーバーコート層１０７ｃにより覆われている。また、カラーフィルタ層１０７上には、接着層１０８を介して偏光板１０９が貼り合わせられている。
【００９４】
比較例の表示装置１００では、画素電極１０３が光反射性を有することにより、入射光Ｌinを画素電極１０３において反射させ、液晶層ＬＣへの電圧印加によって、その反射光の液晶透過率を制御する。これにより、画素毎にコントラストを生じさせ、画像が形成されると共に、各画素からの出射光をカラーフィルタ層１０７を介して表示することにより、カラーの画像表示がなされる。このように、表示装置１００は、反射光の透過率を液晶層ＬＣにおいて画素毎に制御するものである。また、画素電極１０３における反射は、スペキュラーな反射であって、拡散反射ではない。このため、液晶層ＬＣの厚みを調節したり、カラーフィルタ層１０７の各色フィルタ間にブラックマトリクス（遮光膜）を形成することにより、隣接画素への漏れ込み光を抑制可能である。加えて、液晶ディスプレイでは、色度の視野角依存を発生させる要因としては、コントラストの低下が挙げられる。詳細には、液晶ディスプレイでは、正反射時の光路長を基準にしてコントラストが最大となるように液晶配向等を設計しているため、斜め方向からの入射光（あるいは反射光）では光路長が設計値からずれてしまい、これによって偏光回転量が所望の値からずれ、コントラストが低下する。反射光の出射方向によってコントラストが異なるために、色度の視野角依存が生じる。液晶表示ディスプレイでは、このような色度の視野角依存の回避策として、視野角補償フィルムを利用してリタデーションや偏光度の調整がなされている。
【００９５】
これに対して、本実施の形態の表示装置１では、表示層３０からの出射光が等方的に拡散するため、表示層３０の厚みの調整により漏れ込み光を抑制しにくく、また、同様の理由からブラックマトリクスによる効果を得ることも難しい。このように、電気泳動素子３０ａによる拡散反射に起因して生じる色度の視野角依存は、電子ペーパーディスプレイ特有のものであり、液晶ディスプレイで用いられている上記手法を適用することが困難であり、新たな設計手法の実現が望まれている。
【００９６】
そこで、本実施の形態では、表示層３０とカラーフィルタ２２との間の距離Ｄａに着目し、この距離Ｄａを、画素ピッチＤｂの所定の割合以下となるように設定することにより、上記のような拡散反射による色域および色度への影響を軽減する。具体的には、距離Ｄａを、画素ピッチＤｂの２５％以下、望ましくは１７％以下、より望ましくは１０％以下、更に望ましくは９％以下に設定する。また、距離Ｄａが画素ピッチＤｂの７％以下に設定されていることが理想的である。あるいは、距離Ｄａが画素ピッチＤｂの１２％未満に設定されていてもよい。
【００９７】
ここで、表示装置１では、表示層３０とカラーフィルタ２２との間に、接着層２３、透明基体３５および対向電極３４が積層されることから、距離Ｄａは、これらの接着層２３、透明基体３５および対向電極３４の厚みの総和に等しい。本実施の形態では、これらのうち特に透明基体３５を薄膜化することにより、上記のような条件を満たす距離Ｄａを実現する。
【００９８】
画素ピッチＤｂに対する距離Ｄａが小さく（透明基体３５が薄く）なるに従って、表示層３０からの拡散反射による隣接画素域への漏れ込み量は低減される。このため、距離Ｄａの狭小化（透明基体３５の薄膜化）によって、色域の低下および色度の視野角依存を抑制することができる。
【００９９】
特に、本実施の形態では、このような距離Ｄａの上限値（画素ピッチＤｂの２５％，１７％，１０％，９％，７％あるいは１２％）を規定しており、これにより色域の低下および色度の視野角依存を効果的に抑制する。以下、この上限設定の根拠について述べる。
【０１００】
（距離Ｄａの上限設定の根拠）
即ち、隣接画素間の光漏れ込みによる影響が許容できるような距離Ｄａを考える。具体的には、まず、正面方向と斜め方向との色度変化（色差）を求めた。この際、図１２に示したように、界面Ｓ（表示層３０と対向電極３４との界面）から距離Ｄａを介して、カラーフィルタ２２が配設され、距離Ｄａに対応する部分（接着層２３、透明基体３５，対向電極３４）の屈折率ｎを約１．５とした。また、入射光Ｌinを、Ｄ６５のコリメート光とした。この例では、緑色フィルタ層２２Ｇを透過しつつ入射した光（入射光Ｌin）が拡散反射され、その反射光の一部が斜め方向に出射することにより、隣接するＲの画素域に漏れ込んでいる様子を示している。このとき、画素領域のうちの端部領域（例えば領域ａ）からの反射光が隣接画素域へ漏れ込み易いことから、そのような領域ａの幅をできるだけ小さくすることが望ましい。この領域ａは、画素ピッチＤｂに対して距離Ｄａの割合が小さくなる（透明基体３５が薄くなる）に従って減少するため、上述したように、距離Ｄａの狭小化（透明基体３５の薄膜化）によって漏れ込み光を軽減して、色度変化を抑制することが可能である。尚、図１２では、界面Ｓ（表示層３０と対向電極３４との界面）において拡散反射がなされるものと近似して示している。このような積層構造において、斜め方向における色度を距離Ｄａを変化させつつ測定し、それぞれの距離Ｄａにおける、斜め方向の色度の正面方向の色度に対する変化（色差Δｘｙ）を算出した。
【０１０１】
但し、カラーフィルタ２２（赤色フィルタ層２２Ｒ，緑色フィルタ層２２Ｇ，青色フィルタ層２２Ｂ）としては、正面方向の色度として、図１３に示したようなｘｙ座標でそれぞれ表されるＲ0，Ｇ0，Ｂ0（マクベス色票）が得られるものを用いた。図１４には、そのカラーフィルタ２２の分光透過率分布（１回透過の分光特性）を示す。尚、斜め方向としては、実用上有用とされる視野角６０°以下（但し、０°を含まず）の範囲内に含まれる方向を想定している。尚、視野角６０°方向への出射光Ｌoutは、実際には、屈折の影響を考慮すると、界面Ｓから４０°方向へ向かって反射した光に基づくものである。
【０１０２】
また、色差Δｘｙは、正面方向の色度の各座標と、斜め方向の色度の各座標との間の距離に相当する。例えば、Ｒについての色差Δｘｙ（Δｘｙ(r)）は、色度Ｒ0（0.542，0.318）と、斜め方向の色度Ｒ1（ｘ1r，ｙ1r）との間の距離、即ち、ここでは｛（0.542−ｘ1r）２＋（0.318−ｙ1r）２｝の平方根に相当するものである。Ｇ，Ｂについての色差Δｘｙ（Δｘｙ(G)，Δｘｙ(B)）についても同様で、色差Δｘｙ(g)は、色度Ｇ0（0.304，0.495）と斜め方向の色度Ｇ1（ｘ1g，ｙ1g）との間の距離に、色差Δｘｙ(b)は、色度Ｂ0（0.188，0.140）と斜め方向の色度Ｂ1（ｘ1b，ｙ1b）との間の距離にそれぞれ相当している。
【０１０３】
上記のようにして算出した色差Δｘｙ(r)，Δｘｙ(g)，Δｘｙ(b)のそれぞれの距離Ｄａ毎の変化を、図１５〜図１７に示す。これらのうち、図１５は、色差Δｘｙ(g)と、Ｄａ／Ｄｂとの関係を表したものであり、Ｇ画素に対して、Ｒ光が漏れ込んだ場合と、Ｂ光が漏れ込んだ場合との各場合について示している。図１６は、色差Δｘｙ(r)とＤａ／Ｄｂとの関係を表したものであり、Ｒ画素に対して、Ｇ光が漏れ込んだ場合と、Ｂ光が漏れ込んだ場合との各場合について示している。図１７は、色差Δｘｙ(b)とＤａ／Ｄｂとの関係を表したものであり、Ｂ画素に対して、Ｇ光が漏れ込んだ場合と、Ｒ光が漏れ込んだ場合との各場合について示している。また、表１は、上記のような色差Δｘｙ(r)，Δｘｙ(g)，Δｘｙ(b)と、距離Ｄａの画素ピッチに対する割合（（Ｄａ／Ｄｂ）×１００）（％）との関係の一部の数値を纏めたものである。
【０１０４】
【表１】
2013145914.tif 000003
【０１０５】
ここで、参考文献（David L.MacAdam著，“Visual Sensitivities to Color Differences in Daylight”，Journal of the Optical Society of America，May,1942，Volume 32，p247-273)には、人間が視覚的に認識し得る、色の違い（色度変化、色差）について記述されている。この参考文献では、様々な色度において、その変化が、“色の変化”として人間に認識される色度変化の閾値を実験によって求め、その標準偏差を算出している。
【０１０６】
本出願人は、上記参考文献に記載された、色の変化を認識可能となる色度ずれの閾値に着目し、このような閾値（詳細には閾値の標準偏差）と、上述した図１５〜図１７および表１の結果とに基づいて、距離Ｄａの上限値を設定した。具体的には、上記参考文献には、様々な色度（ｘ，ｙ）と、色度ずれの閾値の標準偏差（Δｓ）との組み合わせが表記されている（テーブルＩ〜III参照）。これらの中から、正面方向の色度Ｒ0，Ｇ0，Ｂ0に近い色度をそれぞれピックアップし、そのピックアップした色度に対応する標準偏差を用いて、Ｒ，Ｇ，Ｂの色度毎に許容可能な色差Δｘｙを算出する。
【０１０７】
具体的には、まず、上記参考文献のテーブルIIIに記載された色度（ｘ，ｙ）の中から、色度Ｒ0，Ｇ0，Ｂ0に近い色度として、色度Ｒt，Ｇt，Ｂt（表２）に着目し、色度Ｒt，Ｇt，Ｂtのそれぞれに対応する標準偏差（Δｓ）の平均（標準偏差平均σr，σg，σbとする）を算出する。そして、これらの標準偏差平均σr，σg，σbのそれぞれの３倍の範囲（＋３σr〜−３σr，＋３σg〜−３σg，＋３σb〜−３σb）を考慮した色度変化を、許容可能な色差（色差Δｘｙ(t)）とする。このようにして算出した色差Δｘｙ(t)は、表２に示したように、Ｒでは０．０１１、Ｇでは０．０２２、Ｂでは０．００９となる。これらの各値は、図１５〜図１７にも示している。
【０１０８】
【表２】
2013145914.tif 000004
【０１０９】
また、標準偏差平均σr，σg，σbの各３倍の範囲（以下、単に３σという）を考慮したのは、この３σの範囲を超えると、９９．９％以上（ほぼ１００％）の確率で人は色の変化に気づくためである。従って、Ｒ，Ｇ，Ｂの各色差Δｘｙ(r)，Δｘｙ(g)，Δｘｙ(b)がそれぞれ、少なくとも３σの範囲に対応する色差Δｘｙ(t)内となるように設定する。０〜３σの範囲内で色差Δｘｙ(t)が小さくなればなるほど、その色度変化は人間の眼では認識されにくくなる。
【０１１０】
上記見解から、各色差Δｘｙ(r)，Δｘｙ(g)，Δｘｙ(b)がそれぞれ色差Δｘｙ(t)以下となるように、Ｄａ／Ｄｂの値を設定する。即ち、図１５〜図１７のそれぞれに基づいて、色差Δｘｙ(t)以下となるようなＤａ／Ｄｂの上限を設定することができる。
【０１１１】
具体的には、図１５に示したように、Ｇの色差Δｘｙ(g)では、色差Δｘｙ(t)が０．０２２であり、この０．０２２以下を実現するＤａ／Ｄｂの値は、Ｒ光の漏れ込みの場合（Ｇ画素に隣接画素域からＲ光が漏れ込む場合）には０．２５となり、Ｂ光の漏れ込みの場合には０．１７となる。一方、図１６に示したように、Ｒの色差Δｘｙ(r)では、色差Δｘｙ(t)が０．０１１であり、この０．０１１以下を実現するＤａ／Ｄｂの値は、Ｇ光の漏れ込みの場合（Ｒ画素に隣接画素域からＧ光が漏れ込む場合）には０．０９となり、Ｂ光の漏れ込みの場合には０．０７となる。また、図１７に示したように、Ｂの色差Δｘｙ(b)では、色差Δｘｙ(t)が０．００９であり、この０．００９以下を実現するＤａ／Ｄｂの値は、Ｒ光の漏れ込みの場合（Ｂ画素に隣接画素域からＲ光が漏れ込む場合）には０．１０となり、Ｂ光の漏れ込みの場合には０．０７となる。
【０１１２】
従って、距離Ｄａが画素ピッチＤｂの２５％以下であることにより、拡散反射光を利用したカラー表示の際に、色域の低下が抑制されると共に、特にＧ画素へのＲ光の漏れ込みに起因する色度変化が、効果的に（人間の眼では、ほぼ認識できない程度にまで）抑制される。
【０１１３】
また、望ましくは、距離Ｄａが画素ピッチＤｂの１７％以下であるとよい。これにより、上記Ｇ画素へのＲ光の漏れ込みに加え、Ｇ画素へのＢ光の漏れ込みに起因する色度変化についても効果的に抑制することができる。より望ましくは、画素ピッチＤｂの１０％以下であるとよく、これにより、上記Ｇ画素に対する色度変化に加え、Ｂ画素へのＲ光の漏れ込みに起因する色度変化を効果的に抑制することができる。より望ましくは、画素ピッチの９％以下であるとよく、これにより、更にＲ画素へのＧ光の漏れ込みに起因する色度変化を効果的に抑制することができる。そして、理想的には、画素ピッチの７％以下であるとよく、これにより、更に、Ｒ画素へのＢ光の漏れ込み、およびＢ画素へのＧ光の漏れ込みに起因する各色度変化を効果的に抑制することができる。即ち、７％以下に設定されることにより、Ｒ，Ｇ，Ｂの３色（またはＲ，Ｇ，Ｂ，Ｗの４色）を用いたカラー画像において、画面を斜め方向から観察した場合の色の視認性が、正面から観察した場合と同等となる。これにより、上記のような色域の低下および色度の視野角依存が抑制される。
【０１１４】
また、この一方で、上記参考文献のテーブルIIIに記載されている全色度の標準偏差の平均（標準偏差平均σrgbとする）を求め、この標準偏差平均σrgbの３倍の範囲（＋３σrgb〜−３σrgb）を平均的に許容可能な色差（色差平均Δｘｙ(t)a）を算出することができる。このようにして算出した色差平均Δｘｙ(t)aは、約０．０１２である。つまり、正面方向の色度Ｒ0，Ｇ0，Ｂ0によって表される色域内において生じるＲ，Ｇ，Ｂの色差Δｘｙ(r)，Δｘｙ(g)，Δｘｙ(b)の平均が、色差平均Δｘｙ(t)a（０．０１２）未満であれば、人は色の変化に気付きにくい。そして、これを実現する距離Ｄａの上限は、画素ピッチＤｂの１２％となる。
【０１１５】
上述のように、例えば透明基体３５の薄膜化により、カラーフィルタ２２と表示層３０との間の距離Ｄａが画素ピッチＤｂの２５％以下となるように設定されることにより、電気泳動素子３０ａからの光の拡散反射に起因する隣接画素域への漏れ込み光量が減少し、色域の低下および色度の視野角依存が抑制される。距離Ｄａが画素ピッチＤｂの２５％以下であることにより、特にＧ画素へのＲ光の漏れ込みに起因する色度変化が効果的に抑制される。
【０１１６】
以上説明したように、本実施の形態では、電気泳動素子３０ａを含む表示層３０の表示側に、各画素に対向して赤色フィルタ層２２Ｒ，緑色フィルタ層２２Ｇ，青色フィルタ層２２Ｂを有するカラーフィルタ２２が設けられている。このカラーフィルタ２２と表示層３０との間の距離Ｄａが画素ピッチＤｂの２５％以下となっている。これにより、色域の低下および色度の視野角依存を抑制できる。よって、電気泳動現象を利用しつつカラー表示を行う際の表示品位を向上させることが可能となる。
【０１１７】
＜適用例＞
次に、上記実施の形態の表示装置１の適用例について説明する。ただし、以下で説明する電子機器の構成はあくまで一例であるため、その構成は適宜変更可能である。
【０１１８】
図１８Ａおよび図１８Ｂは、電子ブックの外観構成を表している。この電子ブックは、例えば、表示部１１０（表示装置１）および非表示部（筐体）１２０と、操作部１３０とを備えている。操作部１３０は、図１８Ａに示したように非表示部１２０の前面に設けられていてもよいし、図１８Ｂに示したように上面に設けられていてもよい。表示装置１は、図１８Ａおよび図１８Ｂに示した電子ブックと同様の構成を有するＰＤＡなどに搭載されてもよい。
【０１１９】
図１９は、テレビジョン装置の外観構成を表している。このテレビジョン装置は、例えば、フロントパネル２１０およびフィルターガラス２２０を含む映像表示画面部２００（表示装置１）を備えている。
【０１２０】
図２０Ａおよび図２０Ｂは、デジタルスチルカメラの外観構成を表しており、図２０Ａおよび図２０Ｂは、それぞれ前面および後面を示している。このデジタルスチルカメラは、例えば、フラッシュ用の発光部３１０と、表示部３２０（表示装置１）と、メニュースイッチ３３０と、シャッターボタン３４０とを備えている。
【０１２１】
図２１は、ノート型のパーソナルコンピュータの外観構成を表している。このパーソナルコンピュータは、例えば、本体４１０と、文字等の入力操作用のキーボード４２０と、画像を表示する表示部４３０（表示装置１）とを備えている。
【０１２２】
図２２は、ビデオカメラの外観構成を表している。このビデオカメラは、例えば、本体部５１０と、その本体部５１０の前方側面に設けられた被写体撮影用のレンズ５２０と、撮影時のスタート／ストップスイッチ５３０と、表示部５４０（表示装置１）とを備えている。
【０１２３】
図２３は、携帯電話機の外観構成を表している。（Ａ）および（Ｂ）は、それぞれ携帯電話機を開いた状態の正面および側面を示している。（Ｃ）〜（Ｇ）は、それぞれ携帯電話機を閉じた状態の正面、左側面、右側面、上面および下面を示している。この携帯電話機は、例えば、上側筐体６１０と下側筐体６２０とが連結部（ヒンジ部）６３０により連結されたものであり、ディスプレイ６４０（表示装置１）と、サブディスプレイ６５０と、ピクチャーライト６６０と、カメラ６７０とを備えている。
【０１２４】
以上、実施形態を挙げて説明したが、本開示内容は実施形態等で説明した態様に限定されず、種々の変形が可能である。例えば、上記実施の形態では、主にＲ，Ｇ，Ｂの３色を用いてカラー表示を行う場合について説明したが、本開示の表示装置は、更にＷを加えた４色を用いてカラー表示を行う場合にも適用可能である。Ｗ画素を用いた場合にも、上述したように表示層からの拡散反射光により、Ｗ画素域への他の色光（例えば、Ｒ，Ｇ，Ｂの各色光）の漏れ込み、あるいはＲ画素，Ｇ画素およびＢ画素へのＷ光の漏れ込みが生じる。但し、このＷ画素への光漏れ込みに起因する色度変化は、人間の眼で認識し難く、即ちＷ画素において許容可能な色差Δｘｙ(t)は、上述のＲ，Ｇ，Ｂの色差Δｘｙ(t)よりも十分に大きい。また、Ｒ，Ｇ，Ｂの各画素へのＷ光の漏れ込みについても同様である。このため、Ｒ，Ｇ，Ｂの３画素に加え、Ｗ画素を配置した４サブピクセルの構成とした場合であっても、上述した距離Ｄａの上限設定を適用することができ、上記実施の形態と同等の効果を得ることができる。
【０１２５】
また、上記実施の形態では、表示層３０とカラーフィルタ２２との間に配置される透明基体３５の薄膜化により、距離Ｄａを画素ピッチＤｂの２５％以下に設定した場合を例に挙げて説明したが、本開示の表示装置は、このような構成に限定されない。例えば、距離Ｄａに対応する部分のうち透明基体３５以外の部材（対向電極３５、接着層２３）の厚みを薄膜化して、距離Ｄａを制御してもよい。また、上記実施の形態では、画素ピッチＤｂを固定値として距離Ｄａを薄膜化させが、逆に画素ピッチＤｂを変化（拡大）させることにより距離Ｄａが画素ピッチＤｂの２５％以下となるようにしてもよい。
【０１２６】
更に、上記実施の形態では、電気泳動素子３０ａ（表示層３０）として、絶縁性液体３１、電気泳動素子３２および多孔質層３３を備えた構成を例示したが、表示層３０の構成は、このような多孔質層３３を用いたものに限定されず、電気泳動現象を利用して画素毎に光反射によるコントラスト形成が可能なものであればよい。
【０１２７】
なお、本開示は以下のような構成を取ることも可能である。
（１）
各々が電気泳動素子を含む複数の画素を有する表示層と、
前記表示層の表示側に設けられ、各画素に対向して複数色のうちのいずれかの色のフィルタ層を有するカラーフィルタとを備え、
前記表示層と前記カラーフィルタとの間の距離が、前記表示層における画素ピッチの２５％以下である
表示装置。
（２）
前記距離が前記画素ピッチの１７％以下である
上記（１）に記載の表示装置。
（３）
前記距離が前記画素ピッチの１０％以下である
上記（１）または（２）に記載の表示装置。
（４）
前記距離が前記画素ピッチの９％以下である
上記（１）〜（３）のいずれかに記載の表示装置。
（５）
前記距離が前記画素ピッチの７％以下である
上記（１）〜（４）のいずれかに記載の表示装置。
（６）
前記距離が前記画素ピッチの１２％以下である
上記（１）に記載の表示装置。
（７）
Ｒ（赤），Ｇ（緑），Ｂ（青）の３色の画素を含む
上記（１）〜（６）のいずれかに記載の表示装置。
（８）
Ｒ（赤），Ｇ（緑），Ｂ（青），Ｗ（白）の４色の画素を含む
上記（１）〜（６）のいずれかに記載の表示装置。
（９）
前記４色の画素は、１方向に沿って並列されるか、または２×２の領域に配置されている
上記（８）に記載の表示装置。
（１０）
前記カラーフィルタの各フィルタ層の中心位置と、前記画素の中心位置との間の位置ずれが前記画素ピッチの１０％以下となっている
上記（１）〜（９）のいずれかに記載の表示装置。
（１１）
前記表示層は、繊維状構造体により形成された多孔質膜と、絶縁性液体と、複数の電気泳動粒子とを有する
上記（１）〜（１０）のいずれかに記載の表示装置。
（１２）
前記表示層と前記カラーフィルタとの間に、前記表示層の側から順に電極、支持基体および接着層を有する
上記（１）〜（１１）のいずれかに記載の表示装置。
（１３）
各々が電気泳動素子を含む複数の画素を有する表示層と、
前記表示層の表示側に設けられ、各画素に対向して複数色のうちのいずれかの色のフィルタ層を有するカラーフィルタとを備え、
前記表示層と前記カラーフィルタとの間の距離が、前記表示層における画素ピッチの２５％以下である
表示装置を有する電子機器。
【０１２８】
本出願は、日本国特許庁において２０１２年３月２７日に出願された日本特許出願番号第２０１２−０７１４８２号を基礎として優先権を主張するものであり、この出願のすべての内容を参照によって本出願に援用する。
【０１２９】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2013145914.tif 000005
【図２Ａ】
2013145914.tif 000006
【図２Ｂ】
2013145914.tif 000007
【図２Ｃ】
2013145914.tif 000008
【図３】
2013145914.tif 000009
【図４Ａ】
2013145914.tif 000010
【図４Ｂ】
2013145914.tif 000011
【図４Ｃ】
2013145914.tif 000012
【図５Ａ】
2013145914.tif 000013
【図５Ｂ】
2013145914.tif 000014
【図６】
2013145914.tif 000015
【図７Ａ】
2013145914.tif 000016
【図７Ｂ】
2013145914.tif 000017
【図８】
2013145914.tif 000018
【図９】
2013145914.tif 000019
【図１０】
2013145914.tif 000020
【図１１Ａ】
2013145914.tif 000021
【図１１Ｂ】
2013145914.tif 000022
【図１２】
2013145914.tif 000023
【図１３】
2013145914.tif 000024
【図１４】
2013145914.tif 000025
【図１５】
2013145914.tif 000026
【図１６】
2013145914.tif 000027
【図１７】
2013145914.tif 000028
【図１８Ａ】
2013145914.tif 000029
【図１８Ｂ】
2013145914.tif 000030
【図１９】
2013145914.tif 000031
【図２０Ａ】
2013145914.tif 000032
【図２０Ｂ】
2013145914.tif 000033
【図２１】
2013145914.tif 000034
【図２２】
2013145914.tif 000035
【図２３】
2013145914.tif 000036
【国際調査報告】
2013145914.tif 000037
2013145914.tif 000038
2013145914.tif 000039
2013145914.tif 000040
2013145914.tif 000041
2013145914.tif 000042
2013145914.tif 000043